(57)【特許請求の範囲】
【請求項１】
外部から印加された圧力によって変形するように構成されたビーズと、相互作用部位を介して前記ビーズの表面に固定され、局在表面プラズモン共鳴を起こしうる複数の金属ナノ粒子とを含み、前記複数の金属ナノ粒子が互いに隙間を設けて前記金属ナノ粒子の直径以下の間隔で配置された金属ナノ粒子集積構造体と、
前記金属ナノ粒子集積構造体を固定するための基板と、
前記金属ナノ粒子に誘起された局在表面プラズモン共鳴の消衰スペクトルを測定する分光器と、
前記分光器によって測定された前記消衰スペクトルのピーク波長の変化に基づいて、前記金属ナノ粒子集積構造体に印加された圧力を検出する検出器とを備える、圧力検出装置。
【請求項２】
前記ビーズに印加された圧力による前記ビーズの変形によって、前記ビーズの直径以下の領域の圧力の変化を検出する、請求項１に記載の圧力検出装置。
【請求項３】
前記ビーズの直径以下の領域は１μｍ以下の領域である、請求項２に記載の圧力検出装置。
【請求項４】
前記金属ナノ粒子集積構造体に白色光を照射する光源をさらに備える、請求項１に記載の圧力検出装置。
【請求項５】
前記金属ナノ粒子集積構造体に、前記金属ナノ粒子集積構造体の局在表面プラズモン共鳴のピークの半値全幅の２倍に対応する、１またはいくつかの領域に係る、実質的に単色の光を照射する光源をさらに備える、請求項１に記載の圧力検出装置。
【請求項６】
前記金属ナノ粒子集積構造体に前記圧力を印加するとともにプローブとして用いられる光ファイバをさらに備える、請求項１に記載の圧力検出装置。
【請求項７】
温度によって変形するように構成されたビーズと、相互作用部位を介して前記ビーズの表面に固定され、局在表面プラズモン共鳴を起こしうる複数の金属ナノ粒子とを含み、前記複数の金属ナノ粒子が互いに隙間を設けて前記金属ナノ粒子の直径以下の間隔で配置された金属ナノ粒子集積構造体と、
前記金属ナノ粒子に誘起された局在表面プラズモン共鳴の消衰スペクトルを測定する分光器と、
前記分光器によって測定された前記消衰スペクトルのピーク波長の変化に基づいて、前記温度を検出する検出器とを備える、温度検出装置。
【請求項８】
温度による前記ビーズの変形によって、前記ビーズの直径以下の領域の温度の変化を検出する、請求項７に記載の温度検出装置。
【請求項９】
前記ビーズの直径以下の領域は１μｍ以下の領域である、請求項８に記載の温度検出装置。
【請求項１０】
前記金属ナノ粒子集積構造体に白色光を照射する光源をさらに備える、請求項７に記載の温度検出装置。
【請求項１１】
前記金属ナノ粒子集積構造体に、前記金属ナノ粒子集積構造体の局在表面プラズモン共鳴のピークの半値全幅の２倍に対応する、１またはいくつかの領域に係る、実質的に単色の光を照射する光源をさらに備える、請求項７に記載の温度検出装置。
【請求項１２】
外部から印加された圧力によって変形するように構成されたビーズと、相互作用部位を介して前記ビーズの表面に固定され、局在表面プラズモン共鳴を起こしうる複数の金属ナノ粒子とを含み、前記複数の金属ナノ粒子が互いに隙間を設けて前記金属ナノ粒子の直径以下の間隔で配置された金属ナノ粒子集積構造体の消衰スペクトルを測定するステップと、
前記消衰スペクトルのピーク波長の変化に基づいて、前記金属ナノ粒子集積構造体に印加された前記圧力を検出するステップとを備える、圧力検出方法。
【請求項１３】
温度によって変形するように構成されたビーズと、相互作用部位を介して前記ビーズの表面に固定され、局在表面プラズモン共鳴を起こしうる複数の金属ナノ粒子とを含み、前記複数の金属ナノ粒子が互いに隙間を設けて前記金属ナノ粒子の直径以下の間隔で配置された金属ナノ粒子集積構造体の消衰スペクトルを測定するステップと、
前記消衰スペクトルのピーク波長の変化に基づいて、前記温度を検出するステップとを備える、温度検出方法。
【請求項１４】
前記検出器は、前記金属ナノ粒子集積構造体を媒質を介して圧縮しながら、前記分光器によって測定された前記消衰スペクトルのピーク波長の変化に基づいて、前記金属ナノ粒子集積構造体に印加された圧力を検出する、請求項１に記載の圧力検出装置。
【請求項１５】
前記金属ナノ粒子集積構造体は、前記基板とプレートとに挟まれ、かつ、前記基板と前記プレートとの間に液体あるいは気体の前記媒質が存在する、請求項１４に記載の圧力検出装置。
【請求項１６】
前記検出するステップにおいて、前記金属ナノ粒子集積構造体を媒質を介して圧縮しながら、分光器によって測定された前記消衰スペクトルのピーク波長の変化に基づいて、前記金属ナノ粒子集積構造体に印加された圧力を検出する、請求項１２に記載の圧力検出方法。
【請求項１７】
前記金属ナノ粒子集積構造体は、基板とプレートとに挟まれ、かつ前記基板と前記プレートとの間に気体あるいは液体の前記媒質が存在した状態で、前記金属ナノ粒子集積構造体に圧力が印加される、請求項１６に記載の圧力検出方法。
【発明の詳細な説明】
【技術分野】
【０００１】
本発明は、金属ナノ粒子集積構造体を利用した圧力および温度の検出の手法に関する。
【背景技術】
【０００２】
近年、マイクロ領域、あるいはナノ領域といった微小領域を対象とした研究が盛んに行なわれている。たとえば非特許文献１では、１μｍ以下の局所領域における温度を、蛍光相関分光法（Fluorescence Correlation Spectroscopy;ＦＣＳ）を用いて測定する方法が提案されている。
【０００３】
一方、金属ナノ構造体を利用した温度、圧力などの検出方法が提案されている。たとえば特許文献１では、金属ナノ粒子を、クロミック材料となるマトリックスと接触もしくは接近させて、クロモジェニック材料の光学変化を温度あるいは圧力などの外的刺激によって変化させる方法が開示されている。さらに特許文献１では、クロモジェニック材料の光学特性の変化を利用した圧力センサおよび温度センサ等の可能性が言及されている。
【０００４】
特許文献２では、導電性表面を有するエラストマー粒子およびその粒子を備える圧力センサが開示されている。複数のエラストマー粒子は、２つの基板の間に挟まれた電極として用いられる。センサに圧力が印加されると、２つの基板が互いに向かって押されることによって電極が変形する。センサに印加される圧力に応じて電極同士の接触領域の大きさが変化する。接触領域の大きさの変化による圧力センサのインピーダンスを検出することでセンサに印加された圧力を検出することができる。
【先行技術文献】
【特許文献】
【０００５】
【特許文献１】特開２００７−１７０９３２号公報
【特許文献２】特表２０１０−５１７０１９号公報
【非特許文献】
【０００６】
【非特許文献１】"Application of Fluorescence Correlation Spectroscopy to the Measurement of Local Temperature in Solutions under Optical Trapping Condition", Syoji Ito, Takashi Sugiyama, Naoki Toitani, Genki Katayama, and Hiroshi, Miyasaka, J. Phys. Chem. B, Vol. 111, No.9, 2007
【発明の概要】
【発明が解決しようとする課題】
【０００７】
特許文献１に開示された方法では、マトリックスの屈折率の温度による変化が利用される。このため、溶液全体の温度を検出することは可能であるものの局所的な温度を計測することは難しいと考えられる。また、特許文献２の方法は、微小領域での圧力あるいは温度の検出に向けられたものではない。
【０００８】
本発明の目的は、局所的な領域における圧力あるいは温度の測定を可能にするための装置および方法を提供し、上記課題の解決に資することである。
【課題を解決するための手段】
【０００９】
本発明のある局面に従う圧力検出装置は、金属ナノ粒子集積構造体と、金属ナノ粒子集積構造体を固定するための基板と、分光器と、検出器とを備える。金属ナノ粒子集積構造体は、外部から印加された圧力によって変形するように構成されたビーズと、ビーズの表面に固定され、局在表面プラズモン共鳴を起こしうる金属ナノ粒子とを含む。分光器は、金属ナノ粒子に誘起された局在表面プラズモン共鳴の消衰スペクトルを測定する。検出器は、分光器によって測定された消衰スペクトルのピーク波長の変化に基づいて、金属ナノ粒子集積構造体に印加された圧力を検出する。
【００１０】
消衰スペクトルとは、散乱スペクトルと吸収スペクトルとを足し合わせたものである。
好ましくは、圧力検出装置は、ビーズに印加された圧力によるビーズの変形によって、ビーズの直径以下の領域の圧力の変化を検出する。
【００１１】
好ましくは、ビーズの直径以下の領域は、１μｍ以下の領域である。
好ましくは、圧力検出装置は、金属ナノ粒子集積構造体に白色光を照射する光源をさらに備える。
【００１２】
好ましくは、圧力検出装置は、金属ナノ粒子集積構造体に実質的に、金属ナノ粒子集積構造体の局在表面プラズモン共鳴のピークの半値全幅の２倍に対応する、１またはいくつかの領域に係る、単色の光を照射する光源をさらに備える。
【００１３】
好ましくは、圧力検出装置は、金属ナノ粒子集積構造体に圧力を印加するとともにプローブとして用いられる光ファイバをさらに備える。
【００１４】
本発明の他の局面に従う温度検出装置は、金属ナノ粒子集積構造体と、分光器と、検出器とを備える。金属ナノ粒子集積構造体は、温度によって変形するように構成されたビーズと、ビーズの表面に固定され、局在表面プラズモン共鳴を起こしうる金属ナノ粒子とを含む。分光器は、金属ナノ粒子に誘起された局在表面プラズモン共鳴の消衰スペクトルを測定する。検出器は、分光器によって測定された消衰スペクトルのピーク波長の変化に基づいて、温度を検出する。
【００１５】
好ましくは、温度検出装置は、温度によるビーズの変形によって、ビーズの直径以下の領域の温度の変化を検出する。
【００１６】
好ましくは、ビーズの直径以下の領域は、１μｍ以下の領域である。
好ましくは、温度検出装置は、金属ナノ粒子集積構造体に白色光を照射する光源をさらに備える。
【００１７】
好ましくは、温度検出装置は、金属ナノ粒子集積構造体に、金属ナノ粒子集積構造体の局在表面プラズモン共鳴のピークの半値全幅の２倍に対応する、１またはいくつかの領域に係る、実質的に単色の光を照射する光源をさらに備える。
【００１８】
本発明のさらに他の局面に従う圧力検出方法は、外部から印加された圧力によって変形するように構成されたビーズと、ビーズの表面に固定され、局在表面プラズモン共鳴を起こしうる金属ナノ粒子とを含む金属ナノ粒子集積構造体の消衰スペクトルを測定するステップと、消衰スペクトルのピーク波長の変化に基づいて、金属ナノ粒子集積構造体に印加された圧力を検出するステップとを備える。
【００１９】
本発明のさらに他の局面に従う温度検出方法は、温度によって変形するように構成されたビーズと、ビーズの表面に固定され、局在表面プラズモン共鳴を起こしうる金属ナノ粒子とを含む金属ナノ粒子集積構造体の消衰スペクトルを測定するステップと、消衰スペクトルのピーク波長の変化に基づいて、温度を検出するステップとを備える。
【発明の効果】
【００２０】
本発明によれば、局所的な領域における圧力あるいは温度の測定が可能になる。
【図面の簡単な説明】
【００２１】
【図１】本発明の実施の形態に用いられる金属ナノ粒子集積構造体の模式的構造を示した図である。
【図２】金属ナノ粒子集積構造体の一例の走査型電子顕微鏡（ＳＥＭ）写真である。
【図３】基板に固定された金属ナノ粒子集積構造体の模式図である。
【図４】本発明の実施の形態に係る金属ナノ粒子集積構造体１０の消衰スペクトルの測定結果と、局在表面プラズモン共鳴の消衰スペクトルの計算結果とを示した図である。
【図５】局在表面プラズモン共鳴の消衰、散乱および吸収スペクトルを計算するためのモデルを示した図である。
【図６】図５に示された二次元モデルの粒子の個数Ｎを９６に設定した場合における、局在表面プラズモン共鳴の消衰スペクトル、散乱スペクトルおよび吸収スペクトルを計算した結果を示した図である。
【図７】図５に示された二次元モデルの粒子の個数Ｎを２８８に設定した場合における、局在表面プラズモン共鳴の消衰スペクトル、散乱スペクトルおよび吸収スペクトルを計算した結果を示した図である。
【図８】図５に示された二次元モデルの粒子の個数Ｎを５７６に設定した場合における、局在表面プラズモン共鳴の消衰スペクトル、散乱スペクトルおよび吸収スペクトルを計算した結果を示した図である。
【図９】ビーズが異方的に圧縮された場合の計算モデルを示した図である。
【図１０】ビーズが異方的に圧縮された場合（図９）における局在表面プラズモン共鳴の光吸収スペクトルの計算結果を示した図である。
【図１１】ビーズが等方的に圧縮された場合の計算モデルを示した図である。
【図１２】金属ナノ粒子が固定化されたビーズの三次元モデルを説明するための図である。
【図１３】ビーズが等方的に圧縮された場合（図１１）における局在表面プラズモン共鳴の光吸収スペクトルの計算結果を示した図である。
【図１４】銀ナノ粒子固定化ビーズの三次元モデルを説明するための図である。（ａ）は、銀ナノ粒子固定化ビーズの電子顕微鏡写真である。（ｂ）は、（ａ）に示した銀ナノ粒子固定化ビーズの計算モデルを示した図である。
【図１５】銀ナノ粒子固定化ビーズの消衰スペクトルの測定結果と計算結果とを対比した図である。
【図１６】クラスターおよび銀ナノ粒子の直径を２０ｎｍとし（各クラスターを構成する銀ナノ粒子は１個とする）、図１４（ｂ）に示した銀ナノ粒子固定化ビーズの直径を３９０ｎｍから４２０ｎｍまで１０ｎｍ刻みで変化させたときの局在プラズモンの消衰スペクトルを計算した結果を示した図である。
【図１７】図１６に示したスペクトルの最も長波長のピーク（吸収端）および吸収端の付近の波長範囲のスペクトルの拡大図である。
【図１８】本発明の第１の実施の形態に係る圧力センサの概略的構成を示したブロック図である。
【図１９】第１の実施の形態に係る圧力検出方法を説明したフローチャートである。
【図２０】金属ナノ粒子集積構造体に圧力を印加するための方法の１つの例を示した模式図である。
【図２１】金属ナノ粒子集積構造体に圧力を印加するための方法の他の例を示した模式図である。
【図２２】本発明の第２の実施の形態に係る温度センサの概略的構成を示したブロック図である。
【図２３】第２の実施の形態に係る温度検出方法を説明したフローチャートである。
【図２４】ポリＮイソプロピルアクリルアミド（ｐ−ＮＩＰＡ）のビーズの線膨張率の温度特性を評価した結果を示した図である。
【図２５】図１７に示されたビーズの直径と局在表面プラズモンの消衰スペクトルの吸収端の波長との関係を表わす関数を計算により求めた結果を示した図である。
【図２６】銀ナノ粒子固定化ビーズの三次元モデルを用いた、吸収端の波長に対するビーズの直径および温度の関係を示した図である。
【図２７】第２の実施の形態に係る検出装置の具体的構成を示した図である。
【図２８】金属ナノ粒子集積構造体を固定する基板を保持するためのホルダの１つの例を示した分解図である。
【図２９】図２８に示したベース１２０Ａと押さえ部材１２０Ｂとによって基板２０を保持した状態を示した図である。
【図３０】図２９に示されたホルダ１２０の開口部付近の概略を示した拡大図である。
【図３１】第３の実施の形態に係る感圧素子の模式的断面図である。
【図３２】第４の実施の形態に係る感温素子の模式的断面図である。
【発明を実施するための形態】
【００２２】
以下において、本発明の実施の形態について図面を参照して詳しく説明する。なお、図中同一または相当部分には同一符号を付してその説明は繰り返さない。
【００２３】
本発明およびその実施の形態において、「金属ナノ粒子集積構造体」とは、複数の金属ナノ粒子が集積することによって形成された構造体である。「金属ナノ粒子」とは、ナノメートルのオーダーのサイズを有する金属粒子である。「ナノメートルのオーダー」とは１から数百ナノメートルの範囲を含み、典型的には１〜１００ｎｍの範囲であり、好ましくは、１〜５０ｎｍの範囲である。
【００２４】
本発明およびその実施の形態において、「白色光」との用語は、可視域を含む紫外域〜近赤外域の波長範囲（たとえば２００ｎｍ〜１１００ｎｍの波長範囲）を有する連続光、またはパルス光を意味する。
【００２５】
本発明およびその実施の形態において、「単色光」との用語は、金属ナノ粒子集積構造体または金属ナノ構造体の局在表面プラズモン共鳴のピークの半値全幅の２倍に対応する領域内の波長を有する光である。局在表面プラズモン共鳴のピークの半値全幅の２倍に対応する領域の数は１つでもよく、複数でもよい。
【００２６】
本発明およびその実施の形態において、「媒質」とは金属ナノ粒子集積構造体の存在する環境を意味する。
【００２７】
＜金属ナノ粒子集積構造体＞
図１は、本発明の実施の形態に用いられる金属ナノ粒子集積構造体の模式的構造を示した図である。図２は、金属ナノ粒子集積構造体の一例の走査型電子顕微鏡（ＳＥＭ）写真である。
【００２８】
図１および図２を参照して、金属ナノ粒子集積構造体１０は、ビーズ１１および金属ナノ粒子１２を有する。金属ナノ粒子１２はビーズ１１の表面を覆い、かつビーズ１１の表面に固定化される。これにより、金属ナノ粒子１２の集積構造体が形成される。
【００２９】
ビーズの平均粒径は、サブマイクロオーダーあるいはマイクロオーダーであり、たとえば０．１〜１００μｍ、より好ましくは、０．１〜１０μｍである。
【００３０】
ビーズ１１は、樹脂粒子である。所望の粒径を有するとともに弾性変形可能な粒子を形成可能であれば、ビーズ１１の材料は特に限定されない。圧力によって変形可能なビーズの表面に金属ナノ粒子を固定化することによって、圧力を検出するための感圧素子を形成することができる。同様に、温度によって変形可能なビーズの表面に金属ナノ粒子を固定化することによって、温度を検出するための感温素子を形成することができる。
【００３１】
ビーズ１１に使用される材料は、たとえばアクリル、ポリオレフィン、ポリエチレン、ポリプロピレン、ポリエチレンテレフタレート（ＰＥＴ）などの樹脂であるがこれらに限定されない。圧力あるいは熱によって膨張および収縮しうる樹脂によってビーズ１１を形成できる。
【００３２】
樹脂を微粒子化する方法は、当該分野において使用されうる任意の方法が使用可能であり、たとえば、モノマーキャスティング、懸濁重合、溶融スピンコート、超遠心、超音波などの方法が樹脂の種類に応じて適宜選択される。
【００３３】
金属ナノ粒子は、局在表面プラズモン共鳴を起こしうる金属ナノ粒子である。金属ナノ粒子としてたとえば金ナノ粒子が挙げられる。後に詳細に説明するように、金ナノ粒子に可視〜近赤外域の光を照射した場合、金ナノ粒子の表面では局在表面プラズモン共鳴が誘起される。局在表面プラズモン共鳴を起こしうる金属ナノ粒子であれば、金ナノ粒子以外の金属ナノ粒子も本発明に適用できる。そのような金属ナノ粒子の１つの他の例は、たとえば銀ナノ粒子である。この実施の形態では、これら金ナノ粒子および銀ナノ粒子を採用する。
【００３４】
金属ナノ粒子の平均粒径は、サブナノオーダー〜ナノオーダー（約２ｎｍ〜１０００ｎｍ）であり、たとえば２〜５００ｎｍ、好ましくは、２〜１００ｎｍ、より好ましくは、５〜５０ｎｍでありうる。
【００３５】
ビーズ１１の表面への金属ナノ粒子の固定は、ビーズ１１表面に存在する金属ナノ粒子と相互作用し得る部位を介し得る。「相互作用」とは、化学結合、ファンデルワールス力、静電的相互作用、疎水性相互作用および吸着力などをいう。金属ナノ粒子が金ナノ粒子である場合には、金と相互作用し得る部位（基）としては、たとえばチオール基が挙げられるがこれに限定されるものではない。相互作用部位は、たとえばビーズ１１の表面に予め形成させてもよく、金コロイドの表面に予め形成させてもよい。
【００３６】
金属ナノ粒子をビーズの表面に固定化するための方法として、種々の公知の方法を用いることができる。たとえば金ナノ粒子をビーズの表面に固定化する場合には、ビーズを金ナノ粒子分散液に混合し、その金ナノ粒子分散液を攪拌または静置してもよい。金ナノ粒子分散液は、任意に有機バインダを含んでいてもよい。固定反応温度は、反応期間中に分散液が完全に凍結または蒸発しない温度であれば任意の温度でありうる。好ましくは、固定反応温度は、室温付近（たとえば１０〜３５℃）である。
【００３７】
金ナノ粒子分散液は、市販品を用いてもよく、金イオン（金錯体イオン）含有溶液および還元剤を用いて溶液内還元反応によって製造してもよい。たとえば、塩化金酸溶液にクエン酸を加えてもよい。
【００３８】
金属ナノ粒子集積構造体は基板上に固定されることが好ましい。金属ナノ粒子集積構造体が固定されることで、金属ナノ粒子集積構造体に圧力を印加することが容易になる。ただし、金属ナノ粒子集積構造体は媒質（たとえば液体）中に分散してもよい。また、温度を検出する場合にも、金属ナノ粒子集積構造体は基板に固定されてもよく、媒質中に分散してもよい。
【００３９】
図３は、基板に固定された金属ナノ粒子集積構造体の模式図である。図３を参照して、基板２０は、ガラス板２２およびガラス板２２の表面に形成されたポリジメチルシロキサン（ＰＤＭＳ）膜２１を備える。ＰＤＭＳは、シリコーンゴムの一種であり、型取りなどの手法によって、マイクロ構造を容易に形成可能である。したがって図３に示すように、金属ナノ粒子集積構造体１０の粒径に適した溝構造がＰＤＭＳ膜２１に形成されて、その溝の中に金属ナノ粒子集積構造体１０が配置される。
【００４０】
また、基板２０を、単一のガラス板のように、白色光に対して透明な材料で作成してもよい。好ましくは、基板２０に用いられる材料は、たとえばシリコン、石英のように、局在表面プラズモン共鳴に影響を与えないとともに偏光に対して異方性を示さない材料である。単一のガラス板を基板２０として用いる場合、たとえばシランカップリング剤を利用してメルカプト基またはアミノ基を導入する。これにより、金属ナノ粒子集積構造体１０（ビーズ）が化学的または静電的に基板２０上に捕捉される。
【００４１】
図４は、本発明の実施の形態に係る金属ナノ粒子集積構造体１０の消衰スペクトルの測定結果と、局在表面プラズモン共鳴の消衰スペクトルの計算結果とを示した図である。
【００４２】
図４を参照して、「実験」と示されたグラフは、金属ナノ粒子集積構造体の消衰スペクトルの測定結果を示す。この測定結果は、直径６μｍのビーズに固定された金ナノ粒子に誘起された局在表面プラズモン共鳴によるものである。このグラフに示されるように、消衰スペクトルのピーク波長は約６５０ｎｍである。
【００４３】
「計算」と示されたグラフは、局在表面プラズモン共鳴の消衰スペクトルの計算結果を示す。図５は、局在表面プラズモン共鳴の消衰、散乱および吸収スペクトルを計算するためのモデルを示した図である。
【００４４】
図５を参照して、平面上に円環状に配列されたＮ個の粒子を計算モデルに用いた。ρは、Ｎ個の粒子を円環状に配列することで形成された円の半径であり、ビーズ１１の半径に相当する。
【００４５】
計算モデルでは、金属ナノ粒子の直径を３０ｎｍとし、隣接する２つの金属ナノ粒子の中心間距離を３２ｎｍとした。図５は、一例としてＮ＝４８に設定したモデルを示しているが、Ｎ＝９６、Ｎ＝２８８およびＮ＝５７６のモデルについて、消衰スペクトルおよび吸収スペクトルを計算した。Ｎ＝９６の場合における円の半径ρは５００ｎｍであり、Ｎ＝２８８の場合における円の半径ρは１５００ｎｍであり、Ｎ＝５７６の場合における円の半径ρは３０００ｎｍである。
【００４６】
この計算モデルを用いて、Ｍａｘｗｅｌｌ方程式を離散化積分方程式として解くことで、局在表面プラズモン共鳴の消衰スペクトルおよび吸収スペクトルを計算できる。光吸収（Ｃabs）は、電流Ｊ、電場Ｅ、および感受率χによって、以下の式（１）に従って表わされる。
【００４７】
【数１】
0005854350.tif 000002
【００４８】
消衰スペクトルは、系全体に加わる光の伝播方向の散逸力から換算される。この散逸力は、光散乱および吸収に比例する（T. Iida, H. Ishihara "Nano-Optical Manipulation Using Resonant Radiation Force" Progress in Nano-Electro-Optics VI, M. Ohtsu 編集、Springer, Berlin 2008）。
【００４９】
図６は、図５に示された二次元モデルの粒子の個数Ｎを９６に設定した場合における、局在表面プラズモン共鳴の消衰スペクトル、散乱スペクトルおよび吸収スペクトルを計算した結果を示した図である。図７は、図５に示された二次元モデルの粒子の個数Ｎを２８８に設定した場合における、局在表面プラズモン共鳴の消衰スペクトル、散乱スペクトルおよび吸収スペクトルを計算した結果を示した図である。図８は、図５に示された二次元モデルの粒子の個数Ｎを５７６に設定した場合における、局在表面プラズモン共鳴の消衰スペクトル、散乱スペクトルおよび吸収スペクトルを計算した結果を示した図である。
【００５０】
図６〜図８を参照して、消衰スペクトル、吸収スペクトルおよび散乱スペクトルの各々のピークの位置は、ビーズの直径が変化してもほとんど変化しないことが分かる。したがって、消衰スペクトル、吸収スペクトルおよび散乱スペクトルのいずれを検出してもよい。なお、図６〜図８に示した散乱スペクトルは、（消衰）＝（吸収）＋（散乱）の関係に従って計算されたものである。
【００５１】
図４、図６〜図８の計算結果からも分かるように、局在表面プラズモンのスペクトル上のピーク位置は、消衰スペクトル、散乱スペクトル、吸収スペクトルのいずれにおいてもほぼ同じであるので、本発明では、消衰スペクトル、散乱スペクトル、吸収スペクトルのうち、いずれのスペクトルを検出してもよい。
【００５２】
金属ナノ粒子は球状セルであると仮定する。応答光電場は、Ｍａｘｗｅｌｌ方程式の積分形として表現できる。電場Ｅｉは以下の式（２）に従って表わされる。
【００５３】
【数２】
0005854350.tif 000003
【００５４】
ｉ，ｊは球状セルの粒子番号である。Ｍ，Ｌは自己相互作用に関連する量である。
個々の金属構造体の内部での感受率および電場分布は平坦であるとする。誘起分極Ｐi
は以下の式（３）に従って表わされる（O.  J.  F.  Martin, N.  B.  Piller, Phys. Rev. E 58 3909 (1998)）。
【００５５】
【数３】
0005854350.tif 000004
【００５６】
個々の球状金属ナノ粒子内での感受率および電場分布は平坦であるとする。上記式（２）および式（３）を連立して、自己無撞着方程式を数値的に解いて得られる応答光電場および誘起分極の関数として、局在表面プラズモン共鳴の消衰、散乱および吸収のスペクトルが求められる。なお、感受率χにはＤｒｕｄｅモデルが適用される。感受率χは以下の式（４）に従って表わされる。
【００５７】
【数４】
0005854350.tif 000005
【００５８】
χｂは背景（非共鳴部分）の感受率を表わし、ωｐはプラズマエネルギーを表わし、γは非輻射緩和定数を示し、Ｖｆはフェルミ面上における電子速度を示す。非輻射緩和定数は励起された電子から光以外（たとえば熱）への緩和を示す値である。また、ａは粒子の半径を示す。
【００５９】
計算では、ビーズ１１および周囲の媒質の屈折率を、水の屈折率に近い１．３３とした。また、非共鳴部分の比誘電率を１１とした。プラズマエネルギーωpを８．９５８（ｅＶ）とした。非輻射緩和率γを７２．３（ｍｅＶ）とした。フェルミ面上での電子速度Ｖfを０．９２２（ｎｍ・ｅＶ）とした。粒子の半径ａを３０（ｎｍ）とした。
【００６０】
図４に戻り、Ｎ＝９６、Ｎ＝２８８およびＮ＝５７６のいずれの場合においても、「計算」と示されたグラフにおける消衰スペクトルのピーク波長は、約６５０ｎｍである。このことは上記理論および計算に基づく結果が実験結果をよく再現していることを示している。
【００６１】
また、この計算結果から、粒子間距離が一定であれば、ビーズ１１の粒径（すなわち金属ナノ粒子集積構造体１０のサイズ）が変化しても、消衰スペクトルのピーク波長がほとんど変化しないことが分かる。一方で、後で述べるように、粒子間距離（粒子密度）が狭まれば長波長シフトが大きくなり、粒子間距離が広がれば長波長シフトが小さくなる。
【００６２】
なお、計算結果では、波長６５０ｎｍ付近だけでなく波長５００ｎｍ付近にも消衰スペクトルのピークが生じているが、実験結果では、波長５００ｎｍ付近には消衰スペクトルのピークは見られない。この理由は、金ナノ粒子がさまざまな粒子間距離で固定化されることによって、波長５００ｎｍ付近から６５０ｎｍ付近までの様々な波長での消衰スペクトルのピークが重なりあったためと推測される。
【００６３】
図９は、ビーズが異方的に圧縮された場合の計算モデルを示した図である。図９を参照して、ビーズが圧縮される前にはＮ個の金属ナノ粒子１２によって真円が形成される。このモデルでは、Ｎ＝４８とし、真円の半径ρを２６５ｎｍとし、金属ナノ粒子１２の直径を３０ｎｍとし、隣接する金属ナノ粒子１２の中心間距離は３４．７ｎｍとし、それら隣接する金属ナノ粒子１２の最短の表面間距離は４．７ｎｍとした。
【００６４】
ビーズが圧縮される方向をビーズの短軸方向とし、その短軸方向に垂直な方向をビーズの長軸方向とする。図９においてｘ方向はビーズの短軸方向を示し、ｙ方向はビーズの長軸方向を示している。ビーズが一方向に圧縮されるモデルでは、ビーズの中心点Ｏから金属ナノ粒子１２までのｘ方向の長さ（短軸の１／２）を２６５ｎｍから２５５ｎｍ，２４５ｎｍ，２３５ｎｍと順に変化させた。なお長軸方向における中心点Ｏから金属ナノ粒子１２までの距離は一定（２６５ｎｍ）である。
【００６５】
Ｎ個の金属ナノ粒子１２に照射される入射光５を直線偏光とした。入射光５の偏光方向は、ビーズの圧縮方向に平行な方向とした。
【００６６】
図１０は、ビーズが異方的に圧縮された場合（図９）における局在表面プラズモン共鳴の光吸収スペクトルの計算結果を示した図である。図９および図１０を参照して、ビーズが圧縮されるにつれて光吸収スペクトルにおけるピーク波長が長波長側にシフトする。
【００６７】
図１１は、ビーズが等方的に圧縮された場合の計算モデルを示した図である。図１１を参照して、Ｎ個の金属ナノ粒子１２によって真円が形成される。図９に示したモデルと同じく、Ｎ＝４８とし、半径ρ＝２６５ｎｍとし、隣接する金属ナノ粒子１２の中心間距離は３４．７ｎｍとし、それら隣接する金属ナノ粒子１２の最短の表面間距離は４．７ｎｍとした。
【００６８】
次に、ビーズが等方的に圧縮されることにより、円の半径ρを２６５ｎｍから２５５ｎｍ，２４５ｎｍと順に変化させた。この場合、隣接する２つの金属ナノ粒子１２の中心間距離は、３４．７ｎｍから３３．４ｎｍ、３２ｎｍへと変化する。また、隣接する２つの金属ナノ粒子１２の表面間の最短距離は４．７ｎｍから３．４ｎｍ、２ｎｍへと変化する。
【００６９】
図１２は、金属ナノ粒子が固定化されたビーズの三次元モデルを説明するための図である。図１２を参照して、Ｄbは金属ナノ粒子集積構造体の直径である。Ｄcは、クラスター１２Ａの直径である。ａpはクラスター１２Ａを構成する銀ナノ粒子（金属ナノ粒子１２）の直径である。ｄpは、クラスター１２Ａの間隔である。
【００７０】
図１３は、ビーズが等方的に圧縮された場合（図１１）における局在表面プラズモン共鳴の光吸収スペクトルの計算結果を示した図である。図１１および図１３を参照して、円の半径ρが短くなるにつれて、光吸収スペクトルにおけるピーク波長が長波長側にシフトする。
【００７１】
図１０および図１３から、ビーズが等方的に圧縮された場合およびビーズが異方的に圧縮された場合のいずれにおいても、局在表面プラズモン共鳴の光吸収スペクトルのピーク波長が長波長側にシフトすることが分かる。ビーズは、圧力により変形されるものと限定されず、温度（熱）によっても変形しうる。
【００７２】
上記の計算モデルは二次元モデルであるが、より現実の姿に近い三次元モデルを用いて理論解析を行なった結果について次に説明する。なお、以下に説明する三次元モデルでは、銀ナノ粒子が固定化されたビーズを用いている。また、クラスターＤＤＡ（離散双極子近似）法による理論解析を実行した。
【００７３】
図１４は、銀ナノ粒子固定化ビーズの三次元モデルを説明するための図である。図１４（ａ）は、銀ナノ粒子固定化ビーズの電子顕微鏡写真である。図１４（ｂ）は、図１４（ａ）に示した銀ナノ粒子固定化ビーズの計算モデルを示した図である。図１４を参照して、このモデルでは、銀ナノ粒子の集合体を球体のクラスター１２Ａとして取り扱う。銀ナノ粒子のビーズの直径は４００ｎｍであり、クラスターの直径は８ｎｍである。クラスターの表面間距離は１ｎｍであり、クラスター数は６１７５である。
【００７４】
図１５は、銀ナノ粒子固定化ビーズの消衰スペクトルの測定結果と計算結果とを対比した図である。図１５を参照して、消衰スペクトルの測定結果（図１５において「実験」と示される）では消衰スペクトルのピーク波長が約５００ｎｍであった。図１４（ｂ）に示したモデルを用いて消衰スペクトルを計算した結果（図１５において「計算」と示される）においても消衰スペクトルのピーク波長が約５００ｎｍである。したがって、消衰スペクトルを計算した結果は、実験結果とよく一致している。
【００７５】
なお、銀ナノ粒子の個数を推定したところ、１個のビーズあたりの銀ナノ粒子の総数は２０７，４７８個と見積もられた。これに対して、図１４（ｂ）に示した計算モデルでは、１個のビーズあたりの銀ナノ粒子の個数は２０２，３４２個と見積もられた。つまり、実際のビーズに固定化された銀ナノ粒子の個数に対する、計算モデルでの銀ナノ粒子の個数の誤差は、約−５１３６個である。実験結果と計算結果では、スペクトルのピーク強度がほぼ一致しているが、これは、銀ナノ粒子の個数の誤差が小さいことによる。
【００７６】
図１６は、クラスターおよび銀ナノ粒子の直径を２０ｎｍとし（各クラスターを構成する銀ナノ粒子は１個とする）、図１４（ｂ）に示した銀ナノ粒子固定化ビーズの直径を３９０ｎｍから４２０ｎｍまで１０ｎｍ刻みで変化させたときの局在プラズモンの消衰スペクトルを計算した結果を示した図である。図１７は、図１６に示したスペクトルの最も長波長のピーク（吸収端）および吸収端の付近の波長範囲のスペクトルの拡大図である。吸収端は、局在表面プラズモンの集団モードの最も長波長のピークとして定義される。図１６および図１７を参照して、銀ナノ粒子固定化ビーズの直径が変化することによって、吸収端の波長が変化する。
【００７７】
図１７において、吸収スペクトルと破線との交点の位置に付された丸印は、吸収端を示している。ビーズの直径が大きくなるにつれて、吸収端の波長は短波長側にシフトする。このことは、ビーズが温度あるいは圧力によって膨張した場合、吸収端の波長は短波長側にシフトすることを表わしている。逆に、ビーズの直径が小さくなるにつれて、吸収端の波長は長波長側にシフトする。このことは、ビーズが温度あるいは圧力によって収縮した場合、吸収端の波長は長波長側にシフトすることを表わしている。図１０および図１３に示された二次元モデルでの計算結果だけでなく図１６および図１７に示された三次元モデルでの計算結果からも、ビーズが圧縮された場合に、金属ナノ粒子間距離が小さくなり、局在表面プラズモン共鳴の光吸収スペクトルのピーク波長が長波長側にシフトすることが導かれる。
【００７８】
ビーズの直径が３９０ｎｍから４００ｎｍへと変化した場合、吸収端の波長は約２０ｎｍ短波長側にシフトする。ビーズの直径が４００ｎｍから４１０ｎｍへと変化した場合、および４１０ｎｍから４２０ｎｍへと変化した場合、吸収端の波長は約１０ｎｍ短波長側にシフトする。現行の分光器には、約１０ｎｍの波長のシフトを読み取り可能な分解能を有するものがある。たとえば後述するように、分解能が約２．４７ｎｍの分光器が存在する。したがって、現行の分光器を利用して、吸収端の波長のシフトを読み取ることができる。
【００７９】
本発明では、ビーズの変形による金属ナノ粒子の消衰スペクトルのピーク波長の変化を利用することで、局所的領域における圧力あるいは温度を検出する装置および方法を実現できる。以下、本発明の実施の形態について詳細に説明する。なお本明細書において、「局所的領域」とは、ビーズの直径以下の領域であり、より好ましくは、１μｍ以下の領域である。
【００８０】
消衰スペクトルは、散乱スペクトルと吸収スペクトルとを足し合わせたものである。したがって消衰スペクトルを測定することは、散乱スペクトルを測定すること、または吸収スペクトルを測定することと同じである。いずれの場合においても局在表面プラズモンのスペクトル上のピーク位置は同じである。なお、散乱スペクトルを測定してもよく、吸収スペクトルを測定してもよい。
【００８１】
［実施の形態１］
第１の実施の形態では、局所的領域における圧力を検出するための装置および方法が説明される。
【００８２】
図１８は、本発明の第１の実施の形態に係る圧力センサの概略的構成を示したブロック図である。図１８を参照して、圧力検出装置１００は、光源１０１と、基板２０に固定された金属ナノ粒子集積構造体１０と、分光器１０５と、演算部１０６とを備える。
【００８３】
光源１０１は、たとえば白色光を発する光源であり、たとえばハロゲンランプである。なお、光源１０１として、レーザ光源を用いることも可能である。ただし白色光源を用いることによって、圧力検出装置１００を低コストで実現できる。光源１０１からの光（たとえば白色光）は、基板２０に固定された金属ナノ粒子集積構造体１０に照射される。金属ナノ粒子集積構造体１０には、異方性圧力あるいは等方性圧力が印加される。金属ナノ粒子集積構造体１０に圧力を印加するための方法の例は、後述する。
【００８４】
光源１０１は、実質的に単色の光を発する光源であってもよい。単色光の波長は、金属ナノ粒子集積構造体に誘起される局在表面プラズモン共鳴の吸収端（複数あるピークのうちもっとも長波長側のピーク）の波長に対応する。局在表面プラズモン共鳴の吸収端のピークの半値全幅の２倍以内の領域に単色光の波長が位置すればよい。単色光源には、たとえばレーザ光源を用いてもよい。
【００８５】
分光器１０５は、金属ナノ粒子の局在表面プラズモンによる消衰スペクトルを測定するとともに、その測定結果を示す信号を出力する。分光器１０５は、紫外域〜近赤外域（たとえば２００ｎｍ〜１１００ｎｍの波長範囲）でスペクトルを測定可能な分光器であることが好ましい。また、ピーク波長の圧力による変化が明瞭に観測できるように、分光器１０５の波長分解能は、より小さいほど好ましい。たとえば分光器１０５の波長分解能は、１０ｎｍ以下、５ｎｍ以下、２ｎｍ以下、または１ｎｍ以下であるが、これに限定されない。
【００８６】
演算部１０６は、たとえばマイクロコンピュータ，パーソナルコンピュータ等によって実現される。演算部１０６は、分光器１０５からの信号（たとえば分光器１０５で検出された光の強度を示す信号）を受けて消衰スペクトルのピーク波長を検出する。ピーク波長を検出する方法としては、公知の種々の方法を利用できるのでここでは詳細な説明を繰り返さない。演算部１０６は、そのピーク波長に基づいて圧力を検出するとともに、その検出された圧力の値を示す信号を出力する。
【００８７】
図１８に示した構成では、基板２０の上方に光源１０１が配置され、基板２０の下方に分光器１０５が配置されているが、光源１０１と分光器１０５との配置が図１８に示した配置と逆であってもよい。
【００８８】
また、図１８には示されていないが、光源１０１からの白色光を金属ナノ粒子集積構造体１０に導くための光学部品（たとえばミラー、レンズ、光ファイバなど）が追加的に用いられてもよい。図２７のように、同じく、金属ナノ粒子集積構造体１０からの反射光を分光器に導くための光学部品（光ファイバなど）が追加的に用いられてもよい。
【００８９】
この実施の形態では、たとえば金ナノ粒子をビーズに固定化した構造体を金属ナノ粒子集積構造体として用いる。金ナノ粒子は、たとえば以下の方法によってビーズに固定化される。まず、金ナノ粒子分散液およびビーズをバインダ液中に投入する。バインダ液は、たとえばアルキルチオールの水またはエタノール溶液である。この溶液を室温中で攪拌する。溶液の色は当初は赤色であるが、攪拌するにつれて透明（無色）に変化する。溶液が透明になった後も、所定の時間、攪拌を続ける。これにより、金ナノ粒子集積構造体が生成される。なお、金ナノ粒子に代えて銀ナノ粒子をビーズに固定化した構造体を金属ナノ粒子集積構造体として用いてもよい。
【００９０】
図１９は、第１の実施の形態に係る圧力検出方法を説明したフローチャートである。図１８および図１９を参照して、ステップＳ１において、光源１０１からの光（白色光あるいは単色光）を検出対象に照射する。ステップＳ２において、分光器１０５が、金属ナノ粒子に誘起された局在表面プラズモン共鳴の消衰スペクトルを測定する。
【００９１】
ステップＳ３において、演算部１０６は、消衰スペクトルのピーク波長から、圧力値を算出する。これによって金ナノ粒子集積構造体に印加された圧力が測定される。
【００９２】
たとえば予備的実験によって、ビーズ粒子に印加された圧力と金ナノ粒子の消衰スペクトルのピーク波長との関係が測定される。演算部１０６は、この関係を、たとえばテーブルとして予め記憶する。演算部１０６は、分光器１０５によって測定されたピーク波長と、予め記憶した圧力−ピーク波長の関係とに基づいて、ビーズ粒子に印加された圧力の値を算出する。予備的実験の結果に基づいて、ピーク波長から圧力値を導くための関数を決定し、演算部１０６は、その関数と、分光器１０５によって測定されたピーク波長とによって圧力値を算出してもよい。
【００９３】
図２０は、金属ナノ粒子集積構造体に圧力を印加するための方法の１つの例を示した模式図である。図２０を参照して、金属ナノ粒子集積構造体１０は基板２０に固定されている。針３０の先端を金属ナノ粒子集積構造体１０に押し当てることで金属ナノ粒子集積構造体１０（ビーズ１１）が圧縮される。この場合、ビーズ１１は異方性圧縮を受けることになる。
【００９４】
針３０は、たとえば金属製の針であってもよい。好ましくは、針３０には、先端が細く加工された光ファイバを用いる。当該光ファイバは、探針として用いられて、金属ナノ粒子集積構造体１０を圧縮するとともに光を伝播する。したがって、光ファイバを通じて金属ナノ粒子集積構造体１０に照射する、あるいは分光器へと光を導くことができる。
【００９５】
図２１は、金属ナノ粒子集積構造体に圧力を印加するための方法の他の例を示した模式図である。図２１を参照して、媒質３２は水などの液体状の媒体であり、透明のプレート３４、３６（たとえばガラス基板）に挟まれる。金属ナノ粒子集積構造体１０および基板２０は、媒質３２の中に存在する。基板２０は、プレート３６によって支持される。プレート３４に圧力を印加した場合、液体状の媒質３２を介して金属ナノ粒子集積構造体１０に圧力が印加される。これにより金属ナノ粒子集積構造体１０（ビーズ１１）が圧縮される。この場合、ビーズ１１は実質的には等方性圧縮を受ける。なお、金属ナノ粒子集積構造体１０にはたとえば白色光が照射されるが、単色光が照射されてもよい。
【００９６】
このように第１の実施の形態によれば、圧力検出装置１００は、金属ナノ粒子集積構造体１０の圧縮による、金属ナノ粒子集積構造体１０の消衰スペクトルのピーク波長の変化を測定し、そのピーク波長の変化に基づいて圧力を検出する。金属ナノ粒子集積構造体１０のサイズ（ビーズの粒径）をサブマイクロオーダーからマイクロオーダー（たとえば０．１〜１０μｍの範囲）に設定することで、マイクロ領域あるいはナノ領域といった局所的領域における圧力を検出することが可能になる。
【００９７】
さらに第１の実施の形態によれば、光を用いることで、金属ナノ粒子集積構造体１０に対して非接触で金属ナノ粒子集積構造体１０に印加された圧力を検出することができる。
【００９８】
なお、異方性圧縮の場合、圧縮方向に対して平行な偏光を金属ナノ粒子集積構造体に照射した場合には、粒子間距離が偏光の方向（すなわち圧縮方向）に小さくなるために長波長シフトが大きくなる。これに対して圧縮方向に対して垂直な偏光を金属ナノ粒子集積構造体に照射した場合には、偏光の方向での粒子間距離がほとんど変化しないために長波長シフト量が小さくなる。等方性圧縮の場合、いずれの偏光方向に対しても同程度の長波長シフト量となる。したがって、偏光方向を変化させた際に生じる、吸収スペクトル上の局在表面プラズモンの共鳴ピークの位置の変化を観測することによって、異方性圧縮および等方性圧縮の区別、ならびに異方性圧縮の場合の圧縮方向を検出することが可能になる。光の伝播方向は偏光方向に対して垂直であるので、圧縮方向に対して垂直方向の波数ベクトルの成分を有する光を金属ナノ粒子集積構造体に照射すればよい。また、たとえば回転可能なλ／４波長板と回転可能なλ／２波長板とを組み合わせた偏光コントローラのように、偏光方向を任意に変更可能な偏光コントローラを用いて、金属ナノ粒子集積構造体に照射される光の偏光方向を変えてもよい。
【００９９】
［実施の形態２］
第２の実施の形態では、局所的領域における温度を検出するための装置および方法が説明される。
【０１００】
図２２は、本発明の第２の実施の形態に係る温度センサの概略的構成を示したブロック図である。図２２を参照して、温度検出装置２００は、光源１０１と、基板２０に固定されることで媒質４２中に導入される金属ナノ粒子集積構造体１０と、分光器１０５と、演算部１０６とを備える。
【０１０１】
媒質４２は、温度測定の対象となる物質であり、代表的には液体（たとえば水）である。光源１０１、分光器１０５および演算部１０６については、第１の実施の形態に係る圧力検出装置１００の構成と同様であるので以後の説明は繰り返さない。
【０１０２】
図２３は、第２の実施の形態に係る温度検出方法を説明したフローチャートである。図１９および図２３を参照して、図２３に示したフローチャートでは、ステップＳ３の処理に代えてステップＳ４の処理が実行される。ステップＳ４において、演算部１０６は、金ナノ粒子に誘起された局在表面プラズモンの消衰スペクトルのピーク波長から温度値を算出する。これによって媒質４２の温度が測定される。
【０１０３】
第１の実施の形態と同様に、ピーク波長と媒体の温度との関係が予め求められるとともに、演算部１０６はこの関係をテーブルまたは関数として記憶する。そして、演算部１０６は、その関係と、分光器１０５によって測定されたピーク波長とによって、媒質４２の温度値を算出する。
【０１０４】
この実施の形態では、たとえば金ナノ粒子あるいは銀ナノ粒子をビーズに固定化した構造体を金属ナノ粒子集積構造体として用いる。ビーズとしては、たとえばアクリル系の樹脂からなるビーズ、一例では、ポリＮイソプロピルアクリルアミド（ｐ−ＮＩＰＡ）のゲル状マイクロ粒子を用いる。このゲル状マイクロ粒子の直径と温度との関係は、たとえば、非特許文献（S.  Ito  et  al.,  Langmuir,  15,  4289  (1999)およびG.  Romeo  et  al.,  Adv.  Matt.  22,  3441  (2010)）を参照して決定することができる。
【０１０５】
図２４は、ｐ−ＮＩＰＡのビーズの線膨張率の温度特性を評価した結果を示した図である。図２４を参照して、グラフの縦軸はビーズの線膨張率を示し、グラフの横軸は温度を示す。温度が２５℃のときのビーズの直径を１としたときのビーズの線膨張率が示されるが、約２５℃から約２７度℃までの範囲において、線膨張率は温度に対してほぼ線形で低下する。
【０１０６】
図２５は、図１７に示されたビーズの直径と局在表面プラズモンの消衰スペクトルの吸収端の波長との関係を表わす関数を計算により求めた結果を示した図である。図２５を参照して、グラフの縦軸は吸収端の波長を示し、グラフの横軸はビーズの直径を示す。吸収端の波長をｙ（ｎｍ）、ビーズの直径をｘ（ｎｍ）とすると、吸収端の波長とビーズの直径とは、ｙ＝−８．３３３３×１０−０４ｘ３＋１．０２５０×１０＋００ｘ２−４．２１１７×１０＋０２ｘ＋５．８３９０×１０＋０４との式で近似できる。
【０１０７】
図２６は、銀ナノ粒子固定化ビーズの三次元モデルを用いた、吸収端の波長に対するビーズの直径および温度の関係を示した図である。なお、図２６は、図２４および図２５に示された計算結果に基づくものである。図２６を参照して、ビーズ直径が小さくなるにつれて吸収端の波長は、長波長側にほぼ線形にシフトする。また、約２５．０℃〜約２７．０℃の温度範囲内において、温度が高くなるにつれて吸収端の波長が長波長側にほぼ線形にシフトする。温度と吸収端の波長との間の相関曲線に付されたエラーバー（横軸方向に伸びるエラーバー）は、分光器（後述）の分解能（２．４７ｎｍ）を示す。図２６に示した結果から、常温領域（図２６の例では約２５．０℃〜約２７．０℃）で０．１℃程度の温度分解能を有する検出装置を実現できることが分かる。この実施の形態によれば、たとえば生体分子あるいは細胞の温度測定といった、常温の環境下に存在する微小構造体の温度測定が可能となる。
【０１０８】
図２７は、第２の実施の形態に係る検出装置の具体的構成を示した図である。図２７を参照して、光源１０１からの光は光プローブ１０７によって基板上の金属ナノ粒子集積構造体に照射される。金属ナノ粒子集積構造体からの反射光は光プローブ１０７によって分光器１０５へと導かれる。演算部１０６は、パーソナルコンピュータによって実現される。パーソナルコンピュータは分光器１０５からの信号を処理する。分光器１０５は、ポータブルタイプの分光器である。たとえばＯｃｅａｎ  Ｏｐｔｉｃｓ．Ｉｎｃの製品ＵＳＢ４０００を分光器１０５として用いることができる。この分光器の波長分解能は、〜０．３−１０．０ｎｍ（グレーティングの選択に依存）であり、典型的な値として２．４７ｎｍである。
【０１０９】
図２８は、金属ナノ粒子集積構造体を固定する基板を保持するためのホルダの１つの例を示した分解図である。図２８を参照して、ホルダ１２０は、ベース１２０Ａと、押さえ部材１２０Ｂとを備える。開口部１２１Ａおよび凹部１２２Ａがベース１２０Ａに形成される。開口部１２１Ｂおよび凸部１２２Ｂが押さえ部材１２０Ｂに形成される。ベース１２０Ａと、押さえ部材１２０Ｂとは、金属（たとえばステンレスなど）によって形成される。このホルダは金属製であり熱伝導率が高いため、ホルダを加熱したり冷却したりすることで、たとえば、液体中の金属ナノ粒子集積構造体の近傍の温度を上げたり下げたりすることができる。
【０１１０】
図２９は、図２８に示したベース１２０Ａと押さえ部材１２０Ｂとによって基板２０を保持した状態を示した図である。図３０は、図２９に示されたホルダ１２０の開口部付近の概略を示した拡大図である。図２９および図３０を参照して、基板２０はベース１２０Ａの開口部１２１Ａに装着される。カバーガラス２４は、押さえ部材１２０Ｂの開口部１２１Ｂに装着される。カバーガラス２４と基板２０との間の隙間に、金属ナノ粒子集積構造体および媒質３２（たとえば液体）が導入される。媒質３２の漏出を防ぐために、カバーガラス２４と基板２０との間にパッキン１２３が設けられる。押さえ部材１２０Ｂの凸部１２２Ｂがベース１２０Ａの凹部１２２Ａに挿入される。凸部１２２Ｂの先端には磁石１２４が設置される。磁石１２４とベース１２０Ａとが引き寄せあうことによって押さえ部材１２０Ｂが固定される。
【０１１１】
実施の形態２によれば、実施の形態１と同様の作用によって、マイクロ領域あるいはナノ領域といった局所的領域における温度を検出することが可能になる。
【０１１２】
［実施の形態３］
第３の実施の形態では、金属ナノ粒子集積構造体を用いた感圧素子が説明される。
【０１１３】
図３１は、第３の実施の形態に係る感圧素子の模式的断面図である。図３１を参照して、感圧素子１５０は、基板２０の上に配列された複数の金属ナノ粒子集積構造体１０と、圧力が印加されるプレート３４と、基板２０とプレート３４との間に存在する媒質３２とを備える。複数の金属ナノ粒子集積構造体１０は、圧力により変形可能なビーズ１１およびそのビーズの表面に固定された複数の金属ナノ粒子１２を含む。媒質３２は、たとえば液体であり、たとえば水、アルコール、液晶等である。基板２０およびプレート３４は、透明であり、かつ、印加される圧力に対して適度の強度を有する材質によって形成される。たとえば基板２０およびプレート３４は、ガラス板である。
【０１１４】
感圧素子１５０にはたとえば白色光（単色光でもよい）が照射される。プレート３４に圧力を印加すると、金属ナノ粒子集積構造体１０（金属ナノ粒子１２）の吸収スペクトルのピーク波長が変化するので、感圧素子１５０の色が変化する。
【０１１５】
感圧素子１５０は、たとえば表示装置に利用できる。たとえば、マトリクス状に配置した複数の画素の各々を感圧素子１５０によって構成する。たとえばピエゾ素子などの手段によって、画素（感圧素子１５０）に圧力が印加される。これにより、画素に圧力が印加されることで、その画素に含まれる金属ナノ粒子集積構造体の吸収スペクトルのピーク波長が変化する。すなわち画素の色が変化する。
【０１１６】
あるいは感圧素子１５０をタッチパネルに利用することができる。たとえば感圧素子１５０を透過した光をフィルタなどの波長選択手段に通過させる。波長選択手段による選択波長の範囲は、金属ナノ粒子集積構造体の吸収スペクトルのピーク波長に基づいて適切に定められる（たとえば、ピーク波長を含むように波長選択手段による選択波長の範囲が定められる）。波長選択手段を透過した光の強度をしきい値と比較することによって、圧力が印加されたかどうかを検出できる。
【０１１７】
このように実施の形態３によれば、金属ナノ粒子集積構造体を用いた感圧素子を実現できる。
【０１１８】
［実施の形態４］
第４の実施の形態では、金属ナノ粒子集積構造体を用いた感温素子が説明される。
【０１１９】
図３２は、第４の実施の形態に係る感温素子の模式的断面図である。図３２を参照して、感温素子２５０は、基板２０の上に配列された複数の金属ナノ粒子集積構造体１０を備える。複数の金属ナノ粒子集積構造体１０は、温度により変形可能なビーズ１１およびそのビーズの表面に固定された複数の金属ナノ粒子１２を含む。媒質４２は、たとえば、液体であり、たとえば水、アルコール、液晶等である。基板２０およびプレート４４は、透明な材質によって形成され、たとえばガラス板である。
【０１２０】
なお金属ナノ粒子集積構造体１０が温度により変形可能であればよいので、媒質４２は液体に限定されるものでなく、気体でもよい。
【０１２１】
第３の実施の形態に係る感圧素子と同様に、感温素子２５０には、たとえば白色光（単色光でもよい）が照射される。媒質４２の温度が高くなる（あるいは低くなる）ことでビーズ１１が収縮する。これにより金属ナノ粒子１２の吸収スペクトルのピーク波長が変化するので、感温素子２５０の色が変化する。感温素子２５０の色を検出することで媒質４２の温度を検出できる。
【０１２２】
このように実施の形態４によれば、金属ナノ粒子集積構造体を用いた感温素子を実現できる。
【０１２３】
今回開示された実施の形態は全ての点で例示であって制限的なものではないと考えられるべきである。本発明の範囲は特許請求の範囲によって示され、特許請求の範囲と均等の意味および範囲内で全ての変更が含まれることが意図される。
【符号の説明】
【０１２４】
５  入射光、１０  金属ナノ粒子集積構造体、１１  ビーズ、１２  金属ナノ粒子、１２Ａ  クラスター、２０  基板、２１  ＰＤＭＳ膜、２２  ガラス板、２４  カバーガラス、３０  針、３２，４２  媒質、３４，３６，４４  プレート、１００  圧力検出装置、１０１  光源、１０５  分光器、１０６  演算部、１０７  光プローブ、１２０  ホルダ、１２０Ａ  ベース、１２０Ｂ  押さえ部材、１２１Ａ，１２１Ｂ  開口部、１２２Ａ  凹部、１２２Ｂ  凸部、１２３  パッキン、１２４  磁石、１５０  感圧素子、２００  温度検出装置、２５０  感温素子。
【図１】
0005854350.tif 000006
【図３】
0005854350.tif 000007
【図５】
0005854350.tif 000008
【図９】
0005854350.tif 000009
【図１０】
0005854350.tif 000010
【図１１】
0005854350.tif 000011
【図１２】
0005854350.tif 000012
【図１３】
0005854350.tif 000013
【図１８】
0005854350.tif 000014
【図１９】
0005854350.tif 000015
【図２０】
0005854350.tif 000016
【図２１】
0005854350.tif 000017
【図２２】
0005854350.tif 000018
【図２３】
0005854350.tif 000019
【図２４】
0005854350.tif 000020
【図２７】
0005854350.tif 000021
【図２８】
0005854350.tif 000022
【図２９】
0005854350.tif 000023
【図３０】
0005854350.tif 000024
【図３１】
0005854350.tif 000025
【図３２】
0005854350.tif 000026
【図２】
0005854350.tif 000027
【図４】
0005854350.tif 000028
【図６】
0005854350.tif 000029
【図７】
0005854350.tif 000030
【図８】
0005854350.tif 000031
【図１４】
0005854350.tif 000032
【図１５】
0005854350.tif 000033
【図１６】
0005854350.tif 000034
【図１７】
0005854350.tif 000035
【図２５】
0005854350.tif 000036
【図２６】
0005854350.tif 000037